(57)【特許請求の範囲】
【請求項１】
使用状態として設定した角度に筐体を開くヒンジを有する折り畳み型無線装置の着信時通話スイッチシステムにおいて、
力が加えられ、使用状態として設定した前記角度以上に開き、加えた力を除くと設定した前記角度に開きを戻すヒンジのラッチ機構と、
前記ラッチ機構により設定した前記角度以上に開いた前記ヒンジの開きを検出するヒンジ開検出部と、
前記ヒンジ開検出部による前記ヒンジの開き検出に基いて着信時の通話を開始する通話開始制御部とを備えることを特徴とする折り畳み型無線装置の着信時通話スイッチシステム。
【請求項２】
前記ヒンジ開検出部として、一方の前記筐体にボタン、スイッチが実装され、他方の前記筐体により前記ボタンを介して前記スイッチが押されることを特徴とする、請求項１に記載の折り畳み型無線装置の着信時通話スイッチシステム。
【請求項３】
前記ヒンジ開検出部として、一方の前記筐体にマグネット、他方の前記筐体にリードスイッチが設けられることを特徴とする、請求項１に記載の折り畳み型無線装置の着信時通話スイッチシステム。
【請求項４】
前記ヒンジ開検出部として、前記ヒンジ部に回転スイッチが係合されることを特徴とする、請求項１に記載の折り畳み型無線装置の着信時通話スイッチシステム。
【請求項５】
前記ヒンジは、使用状態として設定した角度以上に開かれたヒンジの開き検出後に加えられた力が除かれた時、使用状態として設定した前記角度に戻ることを特徴とする、請求項１に記載の折り畳み型無線装置の着信時通話スイッチシステム。
【請求項６】
請求項1乃至５のいずれか一に記載の着信時通話スイッチシステムを用いた折り畳み型無線装置。
【発明の詳細な説明】
【０００１】
【産業上の利用分野】
本発明は折り畳み型無線装置に関する。特に、本発明は、折り畳み型無線装置の着信時通話スイッチシステム及び方法に関する。
【０００２】
【従来の技術】
従来の折り畳み型無線装置では、特開平６−２０９３５８号公報に記載のように、装置を折り畳んだ際に内側面の操作パネル上にスイッチが配置されている。
このため、折り畳み型無線装置の着信時には、折り畳み無線装置を開け、通話を開始する通話ボタンを押すという動作が行われる。
【０００３】
【発明が解決しょうとする課題】
ところで、一体型の無線装置は、上記折り畳み型無線装置と比較して、着信通話時に、装置を開ける操作が必要なく、直接、通話ボタンを押すことにより、通話を開始する。
これに対して、折り畳み型無線装置では、着信時通話状態にするのに、上記一体型の無線装置に対して、装置を開けるという操作が１つ多くなり、操作性が劣っているという問題がある。
【０００４】
したがって、本発明は上記問題点に鑑みて、折り畳み型無線装置の特徴である、装置を開けるという動作を有効に活用して、操作性を改善する折り畳み型無線装置の着信時通話スイッチシステム及び方法を提供することを目的とする。
【０００５】
【課題を解決するための手段】
本発明は前記問題点を解決するために、使用状態として設定した角度に筐体を開くヒンジを有する折り畳み型無線装置の着信時通話スイッチシステムにおいて、力が加えられ、使用状態として設定した前記角度以上に開き、加えた力を除くと設定した前記角度に開きを戻すヒンジのラッチ機構と、前記ラッチ機構により設定した前記角度以上に開いた前記ヒンジの開きを検出するヒンジ開検出部と、前記ヒンジ開検出部による前記ヒンジの開き検出に基いて着信時の通話を開始する通話開始制御部とを備えることを特徴とする折り畳み型無線装置の着信時通話スイッチシステムを提供する。
【０００６】
この手段により、折り畳み型無線装置の特徴である、装置を開けるという動作を有効に活用して着信時通話の開始を行うので、操作性の改善が可能になる。
好ましくは、前記ヒンジ開検出部として、一方の前記筐体にボタン、スイッチが実装され、他方の前記筐体により前記ボタンを介して前記スイッチが押され、さらに、好ましくは、前記ヒンジ開検出部として、一方の前記筐体にマグネット、他方の前記筐体にリードスイッチが設けられ、さらに、好ましくは、前記ヒンジ開検出部として、前記ヒンジ部に回転スイッチが係合される。
【０００７】
この手段により、折り畳み型無線装置の開き操作を着信時通話開始のスイッチの操作に活用することが可能になる。
好ましくは、前記ヒンジは、使用状態として設定した角度以上に開かれたヒンジの開き検出後に加えられた力が除かれた時、使用状態として設定した前記角度に戻る。
一旦着信時の通話が開始されれば、力を除いても、通話状態を保持することが可能になる。また、力を除いた後には通常の使用状態の角度に戻るので、着信時通話の終了後に通常通りのダイヤルが可能である。
【０００８】
さらに、本発明は、使用状態として設定した角度に筐体を開くヒンジを有する折り畳み型無線装置の着信時通話スイッチ方法において、力が加えられ、使用状態として設定した前記角度以上に開き、加えた力を除くと設定した前記角度に開きを戻すヒンジのラッチ機構を形成する工程と、前記ラッチ機構により設定した前記角度以上に開いた前記ヒンジの開きを検出する工程と、前記ヒンジ開検出部による前記ヒンジの開き検出に基いて着信時の通話を開始する工程とを備えることを特徴とする折り畳み型無線装置の着信時通話スイッチ方法を提供する。
【０００９】
この手段により、上記発明と同様に、折り畳み型無線装置の特徴である、装置を開けるという動作を有効に活用して通話の開始を行うので、操作性の改善が可能になる。
【００１０】
【発明の実施の形態】
以下、本発明の実施の形態について図面を参照して説明する。
図１は本発明に係る折り畳み型無線装置の着信時通話スイッチシステムの概略構成を示す分解斜視図であり、図２は図１における折り畳み型無線装置のヒンジ部を示す図である。
【００１１】
図１に示すように、折り畳み型無線装置は、第１の筐体１と第２の筐体２からなる。
図２に示すように、第１の筐体１と第２の筐体２とには回転可能にヒンジ部１２が結合されている。
ヒンジ部１２は、後述するように、使用時には、第１の筐体１と第２の筐体２とが使用状態として設定した角度αに開いた状態で保持される。
【００１２】
さらに、開く方向に力を加えることにより、角度α＋Δαに開く。角度α＋Δαに開いたときに、以下に説明するように、着信時の通話開始状態にする。
また、加えた力を除くことにより、以下に説明するように、前記設定角度αに戻るラッチ機構が設けられる。このラッチ動作、すなわち、力を加えて開く動作が、着信時の通話開始のスイッチ動作になる。
【００１３】
第２の筐体２におけるヒンジ部１２側の側面２１には、ボタン３が配置され、さらに、プリント基板４が実装される。
プリント基板４上には、ボタン３が押されることにより作動する位置にスイッチ５が配置される。
第１の筐体１にはヒンジ部１２側の側面１１が設けられ、ヒンジ部１２側の側面１１はボタン３を押したり、離したりする。
【００１４】
図３は図１におけるヒンジ部１２の動作を詳細に説明する部分断面図である。本図（ａ）に示すように、折り畳み型無線装置では使用状態として設定した角度αだけ第１の筐体１と第２の筐体２とが開かれる。
この場合、第１の筐体のヒンジ部１２側における側面１１と第２の筐体２のボタン３とは接触せず、着信時の通話状態にはならない。
【００１５】
本図（ｂ）に示すように、折り畳み型無線装置では使用状態の設定角度αからさらに角度α＋Δαに第１の筐体１と第２の筐体２が開かれる際に、第１の筐体におけるヒンジ部１２側の側面１１により、第２の筐体２に配置されたボタン３を介してスイッチ５が押される。
このようにして、ボタン３、スイッチ５により、折り畳み型無線装置の第１の筐体１と第２の筐体２の開きが検出される。
【００１６】
図４は着信時の通話開始の制御を説明する図である。本図に示すように、折り畳み無線装置には、電話番号等の入力等の操作を行う操作部１０２と、電話番号等の入力等の表示を行う表示部１０３と、送話を行うためのマイクロフォン１０４と、受話を行うためのスピーカ１０５と、基地局との送受信を制御し、操作部１０２、表示部１０３、マイクロフォン１０４、スピーカ１０５等の制御を行う制御部１０１とが設けられる。
【００１７】
なお、制御部１０１は図１のプリント基板４に設けられる。
さらに、制御部１０１には着信時通話開始制御部１０１Ａが設けられ、着信時通話開始制御部１０１Ａはスイッチ５の信号を基に着信時の通話開始を制御する。
図５は着信時通話開始制御部１０１Ａの制御を説明するフローチャートである。本図に示すように、ステップＳ１において、着信時通話開始制御部１０１Ａはスイッチ５がＯＮになるのを待つ。
【００１８】
ステップＳ２において、スイッチ５がＯＮなった場合には、着信時通話開始制御部１０１Ａは着信を待つ。
ステップＳ３において、着信が有る場合には、着信時通話開始制御部１０１Ａは着信時通信を開始する。
したがって、本発明によれば、着信時に折り畳み型無線装置を開き、装置をさらに開く一連の動作のみで着信時の通話状態にすることが可能になる。
【００１９】
また、この使用方法としては、着信時に折り畳み型無線装置を開き、受話部を耳にあてがった後に、耳に装置を強く押し当てるだけで着信時の通話状態とすることが可能になる。
これは、耳に開いた折り畳み無線装置を押し当てることにより、折り畳み無線装置が使用状態として設定した任意の角度以上にさらに開き、スイッチ５を押すことが可能になるためである。
【００２０】
これにより、折り畳み無線装置の開く動作が有効に活用可能になるので、操作性の向上を図ることが可能になる。
図６は折り畳み無線装置のスイッチのラッチ機構を説明する図である。本図に示すように、第１の筐体１と第２の筐体２との間のヒンジ部１２にバネ部１３を設けられる。
【００２１】
バネ部１３の力により、力を加えてさらに開き着信時の通話状態になった後、ラッチ機構により、力を加えることを止めると、角度が元に戻り、ラッチされる。ラッチ後には着信時の通話状態がそのまま維持される。
【００２２】
このようにして、一旦着信時の通話が開始されれば、力を除いても、通話状態を保持することが可能になる。また、力を除いた後には通常の使用状態の角度に戻るので、着信時通話の終了後に通常通りのダイヤルが可能である。
図７は図１における変形例であって、折り畳み型無線装置の着信時通話スイッチシステムの概略構成を示す図である。
本図に示すように、図１と比較して、図１のスイッチ５に代わり、折り畳み型無線装置のヒンジ部１２にリードスイッチ６、マグネット７が設けられる。
【００２３】
リードスイッチ６は、第２の筐体２に実装されているプリント基板４上で、ヒンジ部１２付近に配置され、磁力により動作する。
リードスイッチ６、マグネット７により、折り畳み型無線装置の第１の筐体１と第２の筐体２との開きが検出される。
マグネット７は、第１の筐体１のヒンジ部１２側に配置され、磁力を発生する。
【００２４】
図８は図７におけるヒンジ部１２の動作を詳細に説明する部分断面図である。本図に示すように、上記の設定角度αからα＋Δαに開かれた際、第１の筐体１のマグネット７が第２の筐体２に配置されたリードスイッチ６に近づくことにより、マグネット７の磁力によってリードスイッチ６が動作し、着信時の通話状態が可能になる。
【００２５】
図９は図７における折り畳み無線装置のスイッチのラッチ機構を説明する図である。本図に示すように、前述と同様に、第１の筐体１と第２の筐体２との間のヒンジ部１２にバネ部１３を設けられる。
バネ部１３の力により、力を加えてさらに開き通話状態になった後、ラッチ機構により、力を加えることを止めると、角度が元に戻り、ラッチされる。ラッチ後には通話状態がそのまま維持される。
【００２６】
このようにして、一旦着信時の通話が開始されれば、力を除いても、着信時の通話状態を保持することが可能になる。また、力を除いた後には通常の使用状態の角度に戻るので、着信時通話の終了後に通常通りのダイヤルが可能である。
図１０は図１における別の変形例であって、折り畳み型無線装置の着信時通話スイッチシステムの概略構成を示す図であり、図１１は図１０におけるヒンジ部１２の動作を詳細に説明する部分断面図である。
【００２７】
図１０、図１１に示すように、図１と比較して、図１のスイッチ５に代わり、折り畳み型無線装置のヒンジ部１２に回転スイッチ８が設けられる。
回転スイッチ８は、第２の筐体２に実装されているプリント基板４上で、ヒンジ部１２付近に配置され、回転スイッチ８の一端は第１の筐体１のヒンジ部１２に係合される。
【００２８】
この係合では、回転スイッチ８には細長い凸部８Ａが設けられ、他方ヒンジ部１２には細長い凹部１２Ａが設けられ、凸部８Ａが凹部１２Ａに係合される。
このようにして、ヒンジ部１２の回転と共に回転スイッチ８も回転する。
図１２は図１０における折り畳み無線装置の開き、ラッチ機構を説明する図である。
【００２９】
本図に示すように、回転スイッチ８は使用状態として設定した角度α＋Δαの任意の角度で動作するように設定される。
上記の設定角度αからα＋Δαに開かれた際、回転スイッチ８が動作して、折り畳み型無線装置の第１の筐体１と第２の筐体２の開きが検出され、着信時の通話状態となる。
【００３０】
さらに、前述と同様に、第１の筐体１と第２の筐体２との間のヒンジ部１２にバネ部１３を設けられる。
バネ部１３の力により、力を加えてさらに開き通話状態になった後、ラッチ機構により、力を加えることを止めると、角度が元に戻り、ラッチされる。ラッチ後には着信時の通話状態がそのまま維持される。
【００３１】
このようにして、一旦着信時の通話が開始されれば、力を除いても、通話状態を保持することが可能になる。また、力を除いた後には通常の使用状態の角度に戻るので、着信時通話の終了後に通常通りのダイヤルが可能である。
【００３２】
【発明の効果】
以上説明したように、本発明によれば、折り畳み型無線装置の使用状態として設定され、保持されるヒンジの角度からさらに開くことにより、着信時の通話開始状態となるようにしたので、折り畳み型無線装置の特徴である、装置を開けるという動作を有効に活用して着信時の通話の開始が可能になり、操作性の改善が可能になる。
一旦着信時の通話が開始されれば、力を除いても、通話状態を保持することが可能になる。また、力を除いた後には通常の使用状態の角度に戻るので、着信時通話の終了後に通常通りのダイヤルが可能である。
【図面の簡単な説明】
【図１】本発明に係る折り畳み型無線装置の着信時通話スイッチシステムの概略構成を示す分解斜視図である。
【図２】図１における折り畳み型無線装置のヒンジ部を示す図である。
【図３】図１におけるヒンジ部１２の動作を詳細に説明する部分断面図である。
【図４】着信時の通話開始の制御を説明する図である。
【図５】着信時通話開始制御部１０１Ａの制御を説明するフローチャートである。
【図６】折り畳み無線装置のスイッチのラッチ機構を説明する図である。
【図７】図１における変形例であって、折り畳み型無線装置の着信時通話スイッチシステムの概略構成を示す図である。
【図８】図7におけるヒンジ部１２の動作を詳細に説明する部分断面図である。
【図９】図７における折り畳み無線装置のスイッチのラッチ機構を説明する図である。
【図１０】図１における別の変形例であって、折り畳み型無線装置の着信時通話スイッチシステムの概略構成を示す図である。
【図１１】図１０におけるヒンジ部１２の動作を詳細に説明する部分断面図である。
【図１２】図１０における折り畳み無線装置のスイッチによる開き、ラッチ機構を説明する図である。
【符号の説明】
１…第１の筐体
２…第２の筐体
３…ボタン
４…プリント基板
５…スイッチ
６…リードスイッチ
７…マグネット
８…回転スイッチ
１１、２１…ヒンジ部側の側面
１２…ヒンジ部
１０１…制御部
１０１Ａ…着信時通話開始制御部
１０２…操作部
１０３…表示部
１０４…マイクロフォン
１０５…スピーカ
【図１】
0003821626.tif 000002
【図２】
0003821626.tif 000003
【図３】
0003821626.tif 000004
【図４】
0003821626.tif 000005
【図５】
0003821626.tif 000006
【図６】
0003821626.tif 000007
【図７】
0003821626.tif 000008
【図８】
0003821626.tif 000009
【図９】
0003821626.tif 000010
【図１０】
0003821626.tif 000011
【図１１】
0003821626.tif 000012
【図１２】
0003821626.tif 000013